(57)【要約】【課題】コストダウン、コンパクト化、調整作業の効率化を図る上で有利であり、撮影光学系の光学特性の劣化を防止する上でも有利なレンズ鏡筒を提供する。【解決手段】各鏡筒側取り付け部５４とそれら鏡筒側取り付け部５４に対応するレンズ枠側取り付け部５２と、それら取り付け部５２、５４間に形成される空間５５とにより調芯ピン用取り付け部５６が構成され、各調芯ピン用取り付け部５６に調芯ピン５８が配設されている。鏡筒側取り付け部５４が空間５５に臨む箇所にカム面５４０４が形成されている。調芯ピン５８は、その両端が鏡筒側取り付け部５４とレンズ側取り付け部５２とで回転可能に支持され、フランジ５８０６が空間５５に位置している。カム面５４０４、調芯ピン５８によりレンズ枠４４を撮影光学系２４の光軸と直交する方向に変位させるカム機構が構成されている。【選択図】図５
2007139947.tif 000002
【特許請求の範囲】
【請求項１】
撮影光学系を構成するレンズが取着されるレンズ枠と、
前記レンズ枠が取り付けられる鏡筒と、
を有するレンズ鏡筒であって、
前記鏡筒の周方向に間隔をおいた前記鏡筒と前記レンズ枠の複数箇所に、前記鏡筒の半径方向に間隔をおいて互いに対向する鏡筒側取り付け部とレンズ枠側取り付け部とが設けられ、
互いに対向する前記鏡筒側取り付け部および前記レンズ枠側取り付け部と、それら鏡筒側取り付け部と前記レンズ枠側取り付け部との間に形成される空間とにより調芯ピン用取り付け部が構成され、
前記各調芯ピン用取り付け部に、前記撮影光学系の光軸に直交する仮想軸に沿って延在する調芯ピンが前記鏡筒側取り付け部および前記空間ならびに前記レンズ枠側取り付け部にわたって設けられ、
前記調芯ピンは、前記空間に位置するフランジを有し、
前記調芯ピンが前記仮想軸の回りに回転することで前記レンズ枠を前記仮想軸に沿って変位させるカム機構が前記フランジを含んで構成されている、
ことを特徴とするレンズ鏡筒。
【請求項２】
前記調芯ピンは、前記鏡筒側取り付け部の孔に回転可能に挿入される第１の軸部と、前記レンズ枠側取り付け部の孔に回転可能に挿入される第２の軸部とを有し、前記フランジはそれら第１の軸部と第２の軸部との間に設けられていることを特徴とする請求項１記載のレンズ鏡筒。
【請求項３】
前記調芯ピンは、前記鏡筒側取り付け部の孔に回転可能に挿入される第１の軸部と、前記レンズ枠側取り付け部の孔に回転可能に挿入される第２の軸部とを有し、前記フランジはそれら第１の軸部と第２の軸部との間に設けられ、
前記第１の軸部寄りに位置するフランジの端面は前記鏡筒側取り付け部の当接面に当接され、
前記第２の軸部寄りに位置するフランジの端面は前記レンズ枠側取り付け部の当接面に当接され、
前記フランジの両端面のうちの何れか一方の端面または前記鏡筒側取り付け部の当接面または前記レンズ枠側取り付け部の当接面に、前記フランジの周方向に沿って前記調芯ピンの長さ方向に変位し前記カム機構を構成するカム面が形成されている、
ことを特徴とする請求項１記載のレンズ鏡筒。
【請求項４】
前記レンズ枠側取り付け部は前記鏡筒側取り付け部よりも前記鏡筒の半径方向外方に位置していることを特徴とする請求項１記載のレンズ鏡筒。
【請求項５】
前記レンズ枠側取り付け部は前記鏡筒側取り付け部よりも前記鏡筒の半径方向外方に位置し、
前記調芯ピンは、前記鏡筒側取り付け部の孔に回転可能に挿入される第１の軸部と、前記レンズ枠側取り付け部の孔に回転可能に挿入される第２の軸部とを有し、前記フランジはそれら第１の軸部と第２の軸部との間に設けられ、
前記第１の軸部は前記第２の軸部よりも小さい寸法の直径で形成され、
前記フランジは、前記第１の軸部寄りに位置する第１フランジ部と、前記第２の軸部寄りに位置する第２フランジ部とを有し、
前記第１フランジ部は前記第１の軸部の直径よりも大きくかつ前記第２の軸部の直径以下の寸法の直径で環板状に形成され、
前記第２の軸部に臨む前記第２フランジ部の端面は前記レンズ枠側取り付け部の当接面に当接され、
前記空間に臨む前記鏡筒側取り付け部の箇所に、前記第１の軸部が挿入される前記孔の周囲に沿って前記孔の軸方向に変位し前記カム機構を構成するカム面が形成され、
前記第１の軸部に臨む前記第１フランジ部の端面に前記カム面に当接する当接部が設けられていることを特徴とする請求項１記載のレンズ鏡筒。
【請求項６】
前記レンズ枠側取り付け部は前記鏡筒側取り付け部よりも前記鏡筒の半径方向外方に位置し、
前記調芯ピンは、前記鏡筒側取り付け部の孔に回転可能に挿入される第１の軸部と、前記レンズ枠側取り付け部の孔に回転可能に挿入される第２の軸部とを有し、前記フランジはそれら第１の軸部と第２の軸部との間に設けられ、
前記第１の軸部は前記第２の軸部よりも小さい寸法の直径で形成され、
前記フランジは、前記第１の軸部寄りに位置する第１フランジ部と、前記第２の軸部寄りに位置する第２フランジ部とを有し、
前記第１フランジ部は前記第１の軸部の直径よりも大きくかつ前記第２の軸部の直径以下の寸法の直径で環板状に形成され、
前記第２フランジ部は前記第２の軸部の周方向に間隔をおいた複数箇所から前記第２の軸部の半径外方に突出して複数形成され、
前記レンズ枠側取り付け部には、前記第２の軸部が回転可能に挿入される孔に連通させて前記複数の第２フランジ部を前記空間に挿入するための複数の切り欠きが設けられ、
前記複数の第２フランジ部は前記複数の切り欠きからそれぞれ前記空間に挿入され前記仮想軸の回りに回転され前記第２の軸部に臨む前記第２フランジ部の端面が前記レンズ枠側取り付け部の当接面に当接され、
前記空間に臨む前記鏡筒側取り付け部の箇所に、前記第１の軸部が挿入される前記孔の周囲に沿って前記孔の軸方向に変位し前記カム機構を構成するカム面が形成され、
前記第１の軸部に臨む前記第１フランジ部の端面に前記カム面に当接する当接部が設けられていることを特徴とする請求項１記載のレンズ鏡筒。
【請求項７】
前記レンズ枠側取り付け部は前記鏡筒側取り付け部よりも前記鏡筒の半径方向外方に位置し、
前記調芯ピンは、前記鏡筒側取り付け部の孔に回転可能に挿入される第１の軸部と、前記レンズ枠側取り付け部の孔に回転可能に挿入される第２の軸部とを有し、前記フランジはそれら第１の軸部と第２の軸部との間に設けられ、
前記第２の軸部の端面には、前記調芯ピンを回転操作するための工具に係合可能な係合部が設けられていることを特徴とする請求項１記載のレンズ鏡筒。
【請求項８】
前記調芯ピンは、該調芯ピンの長さ方向に分割された第１のピンと第２のピンとで構成され、
前記第１のピンは、前記鏡筒側取り付け部の孔に回転可能に挿入される第１の軸部と、前記第１の軸部の端部に形成された第１フランジ部と、前記第１フランジ部から前記第１の軸部とは反対の方向に突設された第３の軸部とを有し、
前記第２のピンは、前記レンズ枠側取り付け部の孔に回転可能に挿入される第２の軸部と、前記第２の軸部の端部に形成された第２フランジ部と、前記第２の軸部から前記第２フランジ部にわたって前記第２の軸部に対して偏心して設けられ前記第３の軸部が回転可能に挿通される偏心孔とを有し、
前記第２の軸部に臨む前記第２フランジ部の端面は、前記レンズ枠側取り付け部の当接面に当接され、
前記空間に臨む前記鏡筒側取り付け部の箇所に、前記第１の軸部が挿入される前記孔の周囲に沿って前記孔の軸方向に変位し前記カム機構を構成するカム面が形成され、
前記第１の軸部に臨む前記第１フランジ部の端面に前記カム面に当接する当接部が設けられていることを特徴とする請求項１記載のレンズ鏡筒。
【請求項９】
前記調芯ピンは、該調芯ピンの長さ方向に分割された第１のピンと第２のピンとで構成され、
前記第１のピンは、前記鏡筒側取り付け部の孔に回転可能に挿入される第１の軸部と、前記第１の軸部の端部に形成された第１フランジ部と、前記第１フランジ部から前記第１の軸部とは反対の方向に突設された第３の軸部とを有し、
前記第２のピンは、前記レンズ枠側取り付け部の孔に回転可能に挿入される第２の軸部と、前記第２の軸部の端部に形成された第２フランジ部と、前記第２の軸部から前記第２フランジ部にわたって前記第２の軸部に対して偏心して設けられ前記第３の軸部が回転可能に挿通される偏心孔とを有し、
前記第２フランジ部は前記第２の軸部の周方向に間隔をおいた複数箇所から前記第２の軸部の半径外方に突出して複数形成され、
前記レンズ枠側取り付け部には、前記第２の軸部が回転可能に挿入される孔に連通させて前記複数の第２フランジ部を前記空間に挿入するための複数の切り欠きが設けられ、
前記複数の第２フランジ部は前記複数の切り欠きからそれぞれ前記空間に挿入され前記仮想軸の回りに回転され前記第２の軸部に臨む前記第２フランジ部の端面が前記レンズ枠側取り付け部の当接面に当接され、
前記空間に臨む前記鏡筒側取り付け部の箇所に、前記第１の軸部が挿入される前記孔の周囲に沿って前記孔の軸方向に変位し前記カム機構を構成するカム面が形成され、
前記第１の軸部に臨む前記第１フランジ部の端面に前記カム面に当接する当接部が設けられていることを特徴とする請求項１記載のレンズ鏡筒。
【請求項１０】
前記第１のピンの前記第３の軸部の端面および前記第２のピンの前記第２の軸部の端面には、それら軸部を回転操作するための工具に係合可能な係合部がそれぞれ設けられていることを特徴とする請求項９記載のレンズ鏡筒。
【請求項１１】
前記フランジは、前記調芯ピンの軸方向に弾性変形可能に形成されていることを特徴とする請求項１記載のレンズ鏡筒。
【請求項１２】
被写体像を撮像する撮像素子と、被写体像を前記撮像素子に導く撮影光学系を構成するレンズと、前記レンズが取着されるレンズ枠と、前記レンズ枠が取り付けられる鏡筒とを有するレンズ鏡筒を備え、
前記鏡筒の周方向に間隔をおいた前記鏡筒と前記レンズ枠の複数箇所に、前記鏡筒の半径方向に間隔をおいて互いに対向する鏡筒側取り付け部とレンズ枠側取り付け部とが設けられ、
互いに対向する前記鏡筒側取り付け部および前記レンズ枠側取り付け部と、それら鏡筒側取り付け部と前記レンズ枠側取り付け部との間に形成される空間とにより調芯ピン用取り付け部が構成され、
前記各調芯ピン用取り付け部に、前記撮影光学系の光軸に直交する仮想軸に沿って延在する調芯ピンが前記鏡筒側取り付け部および前記空間ならびに前記レンズ枠側取り付け部にわたって設けられ、
前記調芯ピンは、前記空間に位置するフランジを有し、
前記調芯ピンが前記仮想軸の回りに回転することで前記レンズ枠を前記仮想軸に沿って変位させるカム機構が前記フランジを含んで構成されている、
ことを特徴とする撮像装置。
【請求項１３】
撮影光学系を構成するレンズが取着されるレンズ枠と、
前記レンズ枠が取り付けられる鏡筒とを有するレンズ鏡筒において、
前記鏡筒の周方向に間隔をおいた前記鏡筒と前記レンズ枠の複数箇所に、前記鏡筒の半径方向に間隔をおいて互いに対向する鏡筒側取り付け部とレンズ枠側取り付け部とを設け、
互いに対向する前記鏡筒側取り付け部および前記レンズ枠側取り付け部と、それら鏡筒側取り付け部と前記レンズ枠側取り付け部との間に形成される空間とにより調芯ピン用取り付け部を構成し、
前記各調芯ピン用取り付け部に、前記撮影光学系の光軸に直交する仮想軸に沿って延在する調芯ピンを前記鏡筒側取り付け部および前記空間ならびに前記レンズ枠側取り付け部にわたって設け、
前記調芯ピンに、前記空間に位置するフランジを設け、
前記調芯ピンが前記仮想軸の回りに回転することで前記レンズ枠を前記仮想軸に沿って変位させるカム機構を前記フランジを含んで構成し、
前記各調芯ピン用取り付け部において前記調芯ピンを回転することで前記レンズ枠を前記仮想軸に沿って変位させて調芯を行なうようにした、
ことを特徴とするレンズの調芯方法。
【請求項１４】
撮影光学系を構成するレンズが取着されるレンズ枠と、
前記レンズ枠が取り付けられる鏡筒とを有するレンズ鏡筒において、
前記鏡筒の周方向に間隔をおいた前記鏡筒と前記レンズ枠の複数箇所に、前記鏡筒の半径方向に間隔をおいて互いに対向する鏡筒側取り付け部とレンズ枠側取り付け部とを設け、
互いに対向する前記鏡筒側取り付け部および前記レンズ枠側取り付け部と、それら鏡筒側取り付け部と前記レンズ枠側取り付け部との間に形成される空間とにより調芯ピン用取り付け部を構成し、
前記各調芯ピン用取り付け部に、前記撮影光学系の光軸に直交する仮想軸に沿って延在する調芯ピンを前記鏡筒側取り付け部および前記空間ならびに前記レンズ枠側取り付け部にわたって設け、
前記調芯ピンを、該調芯ピンの長さ方向に分割された第１のピンと第２のピンとで構成し、
前記第１のピンを、前記鏡筒側取り付け部の孔に回転可能に挿入される第１の軸部と、前記第１の軸部の端部に形成された第１フランジ部と、前記第１フランジ部から前記第１の軸部とは反対の方向に突設された第３の軸部とで構成し、
前記第２のピンを、前記レンズ枠側取り付け部の孔に回転可能に挿入される第２の軸部と、前記第２の軸部の端部に形成された第２フランジ部と、前記第２の軸部から前記第２フランジ部にわたって前記第２の軸部に対して偏心して設けられ前記第３の軸部が回転可能に挿通される偏心孔とで構成し、
前記調芯ピンが前記仮想軸の回りに回転することで前記レンズ枠を前記仮想軸に沿って変位させるカム機構を前記第１フランジ部を含んで構成し、
前記各調芯ピン用取り付け部において前記第１の軸部を回転することで前記レンズ枠を前記仮想軸に沿って変位させて調芯を行ない、
前記各調芯ピン用取り付け部において前記第２の軸部を回転することで前記各レンズ枠側取り付け部を前記撮影光学系の光軸に沿って変位させて調芯を行なうようにした、
ことを特徴とするレンズの調芯方法。
【発明の詳細な説明】
【技術分野】
【０００１】
本発明はレンズ鏡筒および撮像装置並びにレンズの調芯方法に関する。
【背景技術】
【０００２】
デジタルスチルカメラやデジタルビデオカメラ等の撮像装置にはレンズ鏡筒が設けられており、レンズ鏡筒は、撮影光学系を構成する複数のレンズと、それらレンズが取着される鏡筒を有している。
レンズの鏡筒への取着に際しては、撮影光学系の光学特性が最良となるようにレンズの位置決め、すなわち調芯作業を行うことが必要となる。
従来、レンズを調芯するための機構としては、例えば、図１８に示すように、レンズ２の外周面の３箇所と鏡筒（不図示）との間にそれぞれレンズ２の半径方向に延在する引っ張りコイルばね４Ａを連結するとともに、２つのコイルばね４Ａの鏡筒側の端部をレンズ２の半径方向に移動させる調整部材４Ｂを設けたものが提案されている（特許文献１参照）。
この調芯機構では２つの調整部材４Ｂを動かすことでレンズ２を撮影光学系の光軸と直交する方向に移動させて調芯を行っている。
また、図１９（Ａ）に示すように、レンズ２の外周面に環状の調芯リング６を設け、この調芯リング６の外周面にレンズ２の中心軸に対して傾斜する第１の嵌合面６Ａを設け、この嵌合面６Ａと嵌合可能な第２の嵌合面８Ａを鏡筒８の前端内周に設け、レンズ２の外周面に対して調芯リング６を傾動可能に取り付けたものが提案されている（特許文献２参照）。
この調芯機構では、図１９（Ｂ）、（Ｃ）に示すように、調芯リング６の中心軸をレンズ２の中心軸に対して傾斜させて第１の嵌合面６Ａと第２の嵌合面８Ａとの嵌合箇所を変化させることにより、レンズ２を撮影光学系の光軸と直交する方向に移動させて調芯を行っている。
【特許文献１】特開２００２-１９６２０６号公報
【特許文献２】特開２００１−３４３５７４号公報
【発明の開示】
【発明が解決しようとする課題】
【０００３】
しかしながら、前者のコイルばね４Ａと調整部材４Ｂを用いる構成では、部品点数が多く構成が複雑であるため、部品コストや調整コストがかかり、コストダウンを図る上で不利があり、また、コイルばね４Ａと調整部材４Ｂの配設スペースを確保しなくてはならないため、コンパクト化を図る上で不利がある。
また、後者の調芯リング６を用いる構成では、調芯リング６を把持した作業者の手が撮影光学系２４の光軸上に位置して光束を遮ってしまうため調整作業の効率化を図る上で不利がある。
また、調芯が終了した後、レンズ２の位置を固定するために、調芯リング６の全周とレンズ２および鏡筒８の全周との間を接着剤を塗布する必要があり、接着剤の量が多く、接着剤の硬化時間がかかり、接着作業の効率化を図る上で不利がある。
また、調芯リング６はレンズ２の外周にわたって延在する大きさを有し重量があるため、レンズ鏡筒に衝撃が加わった際に、調芯リング６の位置ずれが生じやすく、撮影光学系の光学特性の劣化を防止する上で不利がある。
本発明はこのような事情に鑑みなされたもので、その目的はコストダウン、コンパクト化、調整作業の効率化を図る上で有利であり、撮影光学系の光学特性の劣化を防止する上でも有利なレンズ鏡筒および撮像装置並びにレンズの調芯方法を提供することにある。
【課題を解決するための手段】
【０００４】
上述の目的を達成するため、本発明のレンズ鏡筒は、撮影光学系を構成するレンズが取着されるレンズ枠と、前記レンズ枠が取り付けられる鏡筒とを有するものであって、前記鏡筒の周方向に間隔をおいた前記鏡筒と前記レンズ枠の複数箇所に、前記鏡筒の半径方向に間隔をおいて互いに対向する鏡筒側取り付け部とレンズ枠側取り付け部とが設けられ、互いに対向する前記鏡筒側取り付け部および前記レンズ枠側取り付け部と、それら鏡筒側取り付け部と前記レンズ枠側取り付け部との間に形成される空間とにより調芯ピン用取り付け部が構成され、前記各調芯ピン用取り付け部に、前記撮影光学系の光軸に直交する仮想軸に沿って延在する調芯ピンが前記鏡筒側取り付け部および前記空間ならびに前記レンズ枠側取り付け部にわたって設けられ、前記調芯ピンは、前記空間に位置するフランジを有し、前記調芯ピンが前記仮想軸の回りに回転することで前記レンズ枠を前記仮想軸に沿って変位させるカム機構が前記フランジを含んで構成されていることを特徴とする。
また、本発明の撮像装置は、被写体像を撮像する撮像素子と、被写体像を前記撮像素子に導く撮影光学系を構成するレンズと、前記レンズが取着されるレンズ枠と、前記レンズ枠が取り付けられる鏡筒とを有するレンズ鏡筒を備え、前記鏡筒の周方向に間隔をおいた前記鏡筒と前記レンズ枠の複数箇所に、前記鏡筒の半径方向に間隔をおいて互いに対向する鏡筒側取り付け部とレンズ枠側取り付け部とが設けられ、互いに対向する前記鏡筒側取り付け部および前記レンズ枠側取り付け部と、それら鏡筒側取り付け部と前記レンズ枠側取り付け部との間に形成される空間とにより調芯ピン用取り付け部が構成され、前記各調芯ピン用取り付け部に、前記撮影光学系の光軸に直交する仮想軸に沿って延在する調芯ピンが前記鏡筒側取り付け部および前記空間ならびに前記レンズ枠側取り付け部にわたって設けられ、前記調芯ピンは、前記空間に位置するフランジを有し、前記調芯ピンが前記仮想軸の回りに回転することで前記レンズ枠を前記仮想軸に沿って変位させるカム機構が前記フランジを含んで構成されていることを特徴とする。
また、本発明のレンズの調芯方法は、撮影光学系を構成するレンズが取着されるレンズ枠と、前記レンズ枠が取り付けられる鏡筒とを有するレンズ鏡筒において、前記鏡筒の周方向に間隔をおいた前記鏡筒と前記レンズ枠の複数箇所に、前記鏡筒の半径方向に間隔をおいて互いに対向する鏡筒側取り付け部とレンズ枠側取り付け部とを設け、互いに対向する前記鏡筒側取り付け部および前記レンズ枠側取り付け部と、それら鏡筒側取り付け部と前記レンズ枠側取り付け部との間に形成される空間とにより調芯ピン用取り付け部を構成し、前記各調芯ピン用取り付け部に、前記撮影光学系の光軸に直交する仮想軸に沿って延在する調芯ピンを前記鏡筒側取り付け部および前記空間ならびに前記レンズ枠側取り付け部にわたって設け、前記調芯ピンに、前記空間に位置するフランジを設け、前記調芯ピンが前記仮想軸の回りに回転することで前記レンズ枠を前記仮想軸に沿って変位させるカム機構を前記フランジを含んで構成し、前記各調芯ピン用取り付け部において前記調芯ピンを回転することで前記レンズ枠を前記仮想軸に沿って変位させて調芯を行なうようにしたことを特徴とする。
また、本発明のレンズの調芯方法は、撮影光学系を構成するレンズが取着されるレンズ枠と、前記レンズ枠が取り付けられる鏡筒とを有するレンズ鏡筒において、前記鏡筒の周方向に間隔をおいた前記鏡筒と前記レンズ枠の複数箇所に、前記鏡筒の半径方向に間隔をおいて互いに対向する鏡筒側取り付け部とレンズ枠側取り付け部とを設け、互いに対向する前記鏡筒側取り付け部および前記レンズ枠側取り付け部と、それら鏡筒側取り付け部と前記レンズ枠側取り付け部との間に形成される空間とにより調芯ピン用取り付け部を構成し、前記各調芯ピン用取り付け部に、前記撮影光学系の光軸に直交する仮想軸に沿って延在する調芯ピンを前記鏡筒側取り付け部および前記空間ならびに前記レンズ枠側取り付け部にわたって設け、前記調芯ピンを、該調芯ピンの長さ方向に分割された第１のピンと第２のピンとで構成し、前記第１のピンを、前記鏡筒側取り付け部の孔に回転可能に挿入される第１の軸部と、前記第１の軸部の端部に形成された第１フランジ部と、前記第１フランジ部から前記第１の軸部とは反対の方向に突設された第３の軸部とで構成し、前記第２のピンを、前記レンズ枠側取り付け部の孔に回転可能に挿入される第２の軸部と、前記第２の軸部の端部に形成された第２フランジ部と、前記第２の軸部から前記第２フランジ部にわたって前記第２の軸部に対して偏心して設けられ前記第３の軸部が回転可能に挿通される偏心孔とで構成し、前記調芯ピンが前記仮想軸の回りに回転することで前記レンズ枠を前記仮想軸に沿って変位させるカム機構を前記第１フランジ部を含んで構成し、前記各調芯ピン用取り付け部において前記第１の軸部を回転することで前記レンズ枠を前記仮想軸に沿って変位させて調芯を行ない、前記各調芯ピン用取り付け部において前記第２の軸部を回転することで前記各レンズ枠側取り付け部を前記撮影光学系の光軸に沿って変位させて調芯を行なうようにしたことを特徴とする。
【発明の効果】
【０００５】
本発明によれば、調芯ピン用取り付け部に取り付けられた調芯ピンを回転することで、レンズ枠を撮影光学系の光軸に直交する仮想軸に沿って変位させるようにしたので、構造が極めて簡素であり、また、大掛かりな調整治具を用いることなく簡単に調整を行うことができるので、部品コストや調整コストを削減でき、レンズ鏡筒および撮像装置のコストダウンを図る上で有利となる。
また、鏡筒側取り付け部、レンズ枠側取り付け部、調芯ピンが占有するスペースが少なくて済むため、レンズ鏡筒および撮像装置のコンパクト化を図る上で有利となる。
また、鏡筒の外方から調芯ピンを回転させることができるので、撮影光学系の光軸上に作業者の手が位置して光束を遮ることがなく、調整作業の効率化を図る上で有利となる。
また、鏡筒側取り付け部からレンズ枠側取り付け部にわたって調芯ピンを設けるといった簡素な構成であるため、調芯ピンに塗布する接着剤の量を削減でき、したがって、接着剤の硬化時間も短縮できるため、接着作業の効率化を図る上で有利である。
また、調芯ピンは小型で重量も極めて軽いので、レンズ鏡筒に衝撃が加わったとしても調芯ピンが回転することがないため、対物レンズの調芯ずれを防止して対物レンズを含む撮影光学系の光学特性の劣化を防止する上で有利となる。
【発明を実施するための最良の形態】
【０００６】
（第１の実施の形態）
次に本発明のレンズ鏡筒および撮像装置並びにレンズの調芯方法の実施の形態について図面を参照して説明する。
図１は本実施の形態の撮像装置１０を前方から見た斜視図、図２は撮像装置１０の制御系の構成を示すブロック図である。
図１に示すように、本実施の形態において撮像装置１０はビデオカメラであって、外装を構成するケース１２を有し、ケース１２は、左右方向の幅と、この幅よりも大きな寸法の前後方向の長さと、この長さよりも大きな寸法の上下方向の高さとを有している。
なお、本明細書において左右は、撮像装置１０を前方から見た状態でいうものとし、また、被写体側を前方といい、その反対側を後方という。
ケース１２の前面１２Ａの上部には、本発明に係るレンズ鏡筒１４が組み込まれている。
レンズ鏡筒１４は、図２に示すように、鏡筒１６と、鏡筒１６の前端に組み込まれた対物レンズ１８と、鏡筒１６の後端に設けられた撮像素子２０と、鏡筒１６内部で対物レンズ１８の後方に配置され対物レンズ１８で捉えた被写体像を撮像素子２０に導く可動レンズ２２を含む複数のレンズなどを含んで構成され、これら対物レンズ１８、可動レンズ２２、複数のレンズによって撮影光学系２４が構成されている。
なお、可動レンズ２２は、後述するようにその光軸方向に移動することで他のレンズと協働して合焦動作を行うフォーカシングレンズ、あるいは、変倍動作を行うズーミングレンズとして機能するものである。
【０００７】
レンズ鏡筒１４は、図１に示すように、ケース１２の前面１２Ａの上部の飾りリング１２０２の内部に対物レンズ１８が位置するようにケース１２に組み込まれている。
図１に示すように、ケース１２内の左側面１２Ｃ側には、撮像素子２０で撮像された被写体像の静止画および動画のデータを記録媒体（例えば、磁気テープ、光ディスク、光磁気ディスクなど）に記録し、また、静止画および動画のデータを前記記録媒体から再生する記録再生部２６などが配置されている。
ケース１２の右側面１２Ｄには撮像素子２０によって撮像された被写体像などを表示するためのディスプレイ装置２８が開閉可能に設けられている。
ケース１２の後面１２Ｂおよび左側面１２Ｃには、撮影スタートストップスイッチなどの操作スイッチ３０Ａ（図２参照）や種々の設定を行うための複数の設定スイッチ３０Ｂ（図２参照）が設けられている。
ケース１２の後面１２Ｂの上部には撮像素子２０によって撮像された被写体像などを視認するためのビューファインダー装置３２が組み込まれている。
【０００８】
図２に示すように、撮像素子２０は、撮影光学系２４によって結像された被写体像を撮像するＣＣＤやＣＭＯＳセンサなどで構成されている。
撮像素子２０で撮像された像は撮像信号として画像処理部１００２に出力され、画像処理部１００２ではこの撮像信号に基づいて静止画あるいは動画の画像データが生成され、記録再生部２６により前記記憶媒体に記録され、また、記録再生部２６により前記記録媒体から画像データが再生される。
また、前記画像データは表示処理部１００４によりディスプレイ２８およびビューファインダー装置３２に表示される。
さらに、撮像装置１０は、操作スイッチ３０Ａ、設定スイッチ３０Ｂの操作に応じて、画像処理部１００２、表示処理部１００４を制御するＣＰＵなどを含む制御部１１００６を備えている。
【０００９】
図３はレンズ鏡筒１４の斜視図、図４はレンズ鏡筒１４の分解斜視図である。
図４に示すように、鏡筒１６は円筒壁状の部分を有し、鏡筒１６の後端にはベース４２が取着され、鏡筒１６の中間部には絞り機構５１が取着され、鏡筒１６の前端にはレンズ枠４４が取着され、ベース４２には撮像素子２０が取着されている。
鏡筒１６の内部には、フォーカスレンズ４６０１を保持する第１のレンズ移動枠４６が設けられている。第１のレンズ移動枠４６は、ガイド軸４６０２、４６０４を介して撮影光学系２４の光軸方向に移動可能に支持され、リニアモータ４６０６により光軸方向に移動されるように構成されている。
また、鏡筒１６の内部には、ズームレンズ４８０１を保持する第２のレンズ移動枠４８が設けられている。第２のレンズ枠４８は、ガイド軸４６０２、４６０４を介して撮影光学系２４の光軸方向に移動可能に支持され、モータ４８０２および雄ねじ機構４８０４により光軸方向に移動されるように構成されている。
本実施の形態では、フォーカスレンズ４６０１とズームレンズ４８０１によって前記の可動レンズ２２が構成されている。
【００１０】
次に、レンズ枠４４の取り付け構造について説明する。
図５はレンズ鏡筒１４の要部断面図、図６は鏡筒側取り付け部５４の斜視図、図７は調芯ピン５８の斜視図、図８はレンズ側取り付け部５４と調芯ピン５８の説明図である。
図３、図４に示すように、レンズ枠４４は対物レンズ１８を取着するもので、レンズ枠４４は対物レンズ１８を保持する環状部５０と、環状部５０の外周部の周方向に等間隔をおいた３箇所から対物レンズ１８の中心軸と平行する方向に（後方に）突設されたレンズ枠側取り付け部５２とを備えている。
一方、図４に示すように、鏡筒１６の前端の周方向の３箇所には、レンズ枠側取り付け部５２との間に鏡筒１６の半径方向に間隔をおいて対向する鏡筒側取り付け部５４が設けられ、各レンズ枠側取り付け部５２は、鏡筒側取り付け部５４よりも鏡筒１６の半径方向の外方に位置している。
そして、図５に示すように、各鏡筒側取り付け部５４と、それら鏡筒側取り付け部５４に対応するレンズ枠側取り付け部５２と、それら取り付け部５２、５４間に形成される空間５５とにより調芯ピン用取り付け部５６が構成され、各調芯ピン用取り付け部５６に配設された調芯ピン５８によりレンズ枠４４が鏡筒１６に取着されている。
【００１１】
詳細に説明すると、図５、図８に示すように、各レンズ枠側取り付け部５２は、対物レンズ１８の中心軸に直交する仮想線を中心線としたピン挿通孔５２０２と、ピン挿通孔５２０２の周囲で空間５５に臨むレンズ枠側取り付け部５２の内面に形成された当接面５２０４とを備え、当接面５２０４はピン挿通孔５２０２と直交する平面上を延在する平坦な面で形成されている。
また、各鏡筒側取り付け部５４は、図５、図６に示すように、前記仮想線を中心線とした孔５４０２と、孔５４０２の周囲で空間５５に臨む鏡筒側取り付け部５４の外面に形成された当接面５４０４とを備えている。
当接面５４０４は、孔５４０２の周方向に沿って孔５４０２の軸方向に対してその高さが順次変化するらせん状の面で形成されたカム面を構成しており、以後このカム面（当接面５４０４）をカム面５４０４として説明する。
【００１２】
図５、図７に示すように、調芯ピン５８は、鏡筒側取り付け部５４の孔５４０２に回転可能に挿入される第１の軸部５８０２と、第１の軸部５８０２よりも大きい直径で形成されレンズ側取り付け部５２のピン挿通孔５２０２に回転可能に挿入される第２の軸部５８０４と、それら第１の軸部５８０２と第２の軸部５８０４との間に設けられたフランジ５８０６とを有している。
なお、図９に示すように、第２の軸部５８０４がピン挿通孔５２０２に挿入された状態で、撮影光学系２４の光軸方向に沿った第２の軸部５８０４の外周面の２箇所とピン挿通孔５２０２の内周面の２箇所とが当接することにより、レンズ枠４４が撮影光学系２４の光軸に沿った方向でがたつかないように構成されている。
本実施の形態では、フランジ５８０６は、第１の軸部５８０２側に位置する第１フランジ部５８１０と、第２の軸部５８０４側に位置する第２フランジ部５８１２とを有している。
第１フランジ部５８１０は第１の軸部５８０２の直径よりも大きくかつ第２の軸部５８０４の直径以下の寸法の直径で環板状に形成されている。本実施の形態では、第１フランジ部５８１０は第２の軸部５８０４の直径と同一の寸法で形成されている。
第１フランジ部５８１０が第１の軸部５８０２に臨む端面には、カム面５４０４の傾斜に沿った２つのカム面接触用の当接部５８１４が膨出形成され、それら当接部５８１４がカム面５４０４に当接し調芯ピン５８が回転された際にカム面５４０４に沿ってフランジ５８０６が撮影光学系２４の光軸に直交する方向に円滑に変位するように構成されている。
なお、本実施の形態では、カム面５４０４および当接部５８１４、調芯ピン５８によりレンズ枠４４を撮影光学系２４の光軸と直交する方向に変位させるカム機構が構成されている。
【００１３】
第２フランジ部５８１２は、第２の軸部５８０４の周方向に間隔をおいた２箇所から第２の軸部５８０４の半径方向外方に突出形成され、第２フランジ部５８１２が第２の軸部５８０４に臨む端面５８１６はレンズ側取り付け部５２の当接面５２０４に当接されている。
ピン挿通孔５２０２から露出する調芯ピン５８の端部には、調芯ピン５８を回転操作するための工具に係合可能な係合部５８１８（図９参照）が形成されている。
本実施の形態では、調芯ピン５８は、ＰＣ（ポリカーボネート樹脂）、あるいは、ＰＰＳ（ポリフェニレンサルファイド樹脂）などの合成樹脂で形成されている。
なお、２つの当接部５８１４の形状は、当接部５８１４がカム面５４０４に当接し調芯ピン５８が回転された際にカム面５４０４に沿ってフランジ５８０６が撮影光学系２４の光軸に対してその高さが円滑に変化すればよく、その形状は平面でも曲面であってもよいが、平面とすれば、当接部５８１４とカム面５４０４とが安定して当接する上で有利である。
また、当接部５８１４の数は２つに限られるものではなく、１つであってもよく、３つ以上であってもよい。
【００１４】
図９（Ａ）、（Ｂ）は調芯ピン５８の組み立て説明図である。
調芯ピン５８の組み付けは次のようになされる。
図９（Ａ）に示すように、レンズ側取り付け部５２には、ピン挿通孔５２０２に連通して第２フランジ部５８１２に対応した形状の欠部５２１０が設けられており、調芯ピン５８を組み付ける際には、第２フランジ部５８１２を欠部５２１０に通しつつ調芯ピン５８をピン挿通孔５２０２から孔５４０２（図５参照）に向けて挿通し、フランジ５８０６を空間部５５に位置させ、当接部５８１４をカム面５４０４に当接させたならば、図９（Ｂ）に示すように、調芯ピン５８を回転させる。
これにより、図５に示すように、当接部５８１４がカム面５４０４に当接し、かつ、第２フランジ部５８１２の端面５８１６がレンズ側取り付け部５２の当接面５２０４に当接され、調芯ピン５８の組み付けが終了する。
【００１５】
次に、対物レンズ１８の調芯作業について説明する。
まず、レンズ鏡筒１４の前方に所定のテスト画像が形成されたチャートを配置し、対物レンズ１８を含む撮影光学系２４によってテスト画像を撮像素子２０に結像させる。
そして、撮像素子２０によって撮像された画像データから対物レンズ１８を含む撮影光学系２４の光学特性を測定する。
光学特性としては、例えば、ＭＴＦ（Ｍｏｄｕｌａｔｉｏｎ  Ｔｒａｎｓｆｅｒ  Ｆｕｎｃｔｉｏｎ）を用いることができる。
まず、３箇所のうち２箇所の調芯ピン５８を回転することで、それら２つの調芯ピン５８の第２フランジ部５８１２の端面５８１６とレンズ側取り付け部５２の当接面５２０４との間に隙間を形成する。
次いで、残りの１箇所の調芯ピン５８を回転することで、その１つの調芯ピン５８の第２フランジ部５８１２の端面５８１６によりレンズ側取り付け部５２の当接面５２０４を撮影光学系２４の光軸から離間する方向に変位させ、対物レンズ１８を含む撮影光学系２４の光学特性が良好となるように、対物レンズ１８の中心軸を撮影光学系２４の光軸方向と直交する方向に変位させる。
なお、調芯ピン５８の回転量は僅かであり、第２フランジ部５８１２の全体が切り欠き５２１０内に位置し、調芯ピン５８が抜けるおそれはない。
このような調芯ピン５８の回転調整を残り２箇所の調芯ピン５８についても同様に行うことで対物レンズ１８を含む撮影光学系２４の光学特性が最良となったならば、対物レンズ１８の調芯が完了する。
そして、各調芯ピン５８とレンズ側取り付け部５２および鏡筒側取り付け部５４との間に接着剤を塗布して硬化させることで各調芯ピン５８を固定する。
以上で対物レンズ１８の調芯作業が完了する。
【００１６】
本実施の形態によれば、鏡筒側取り付け部５４からレンズ枠側取り付け部５２にわたって設けられた各調芯ピン５８を回転することで、レンズ枠４４を撮影光学系２４の光軸に直交する仮想軸に沿って変位させるようにしたので、構造が極めて簡素であり、また、大掛かりな調整治具を用いることなく簡単に調整を行うことができるので、部品コストや調整コストを削減でき、レンズ鏡筒１４および撮像装置１０のコストダウンを図る上で有利となる。
また、鏡筒側取り付け部５４からレンズ枠側取り付け部５２にわたって調芯ピン５８を設けるといった簡素な構成であるため、これら鏡筒側取り付け部５４、レンズ枠側取り付け部５２、調芯ピン５８が占有するスペースが少なくて済むため、レンズ鏡筒１４および撮像装置１０のコンパクト化を図る上で有利となる。
また、鏡筒１６の外方から調芯ピン５８を回転させることができるので、撮影光学系２４の光軸上に作業者の手が位置して光束を遮ることがなく、調整作業の効率化を図る上で有利となる。
また、鏡筒側取り付け部５４からレンズ枠側取り付け部５２にわたって調芯ピン５８を設けるといった簡素な構成であるため、調芯ピン５８に塗布する接着剤の量を削減でき、したがって、接着剤の硬化時間も短縮できるため、接着作業の効率化を図る上で有利である。
また、調芯ピン５８は小型で重量も極めて軽いので、レンズ鏡筒１４に衝撃が加わったとしても調芯ピン５８が回転することがないため、対物レンズ１８の調芯ずれを防止して対物レンズ１８を含む撮影光学系２４の光学特性の劣化を防止する上で有利となる。
また、複数の調芯ピン５８、鏡筒側取り付け部５４、レンズ枠側取り付け部５２は全て同一形状でよいため、設計、製造の簡素化を図る上で有利となる。
【００１７】
なお、調芯ピン５８の第２フランジ部５８１２が調芯ピン５８の軸方向に（第２フランジ部５８１２の厚さ方向に）弾性変形可能に構成されていた場合には次のように調整することができる。
すなわち、まず、各調芯ピン５８を回転して第２フランジ部５８１２の端面５８１６をレンズ側取り付け部５２の当接面５２０４に当接させた状態とし、さらに調芯ピン５８を回転させて第２フランジ部５８１２を僅かに弾性変形させ、各レンズ枠側取り付け部５２の箇所が、鏡筒１６の半径方向外側に付勢された状態とする。
次いで、１つの調芯ピン５８を回転してその調芯ピン５８による第２フランジ部５８１２の弾性変形を、残りの２つの調芯ピン５８による第２フランジ部５８１２の弾性変形よりも若干大きくなるようにする。すなわち、１つの第２フランジ部５８１２による付勢力を残りの２つの第２フランジ部５８１２の付勢力よりも若干大きくする。
これにより、対物レンズ１８の中心軸は付勢力の大きな１つの第２フランジ部５８１２に近接し、かつ、残り２つの第２フランジ部５８１２から離間した状態となる。
この状態で前述と同様に撮影光学系２４の光学特性が最良となるように、残りの２つの第２フランジ部５８１２の調芯ピン５８をそれぞれ回転して対物レンズ１８の中心軸の位置を調整する。
対物レンズ１８を含む撮影光学系２４の光学特性が最良となったならば、前述と同様に各調芯ピン５８とレンズ側取り付け部５２および鏡筒側取り付け部５４との間に接着剤を塗布して硬化させることで各調芯ピン５８を固定する。
この場合には、前述の調芯作業に比較して各調芯ピン５８を回転する回数を削減できるため、調整工数の削減を図る上で有利となる。
【００１８】
図１０は第１の実施の形態の変形例のレンズ鏡筒１４の斜視図、図１１は図１０の正面図である。
図１０、図１１に示すように、対物レンズ１８の外周の一部を切り取って平坦面１８１０を形成する、いわゆるＤカットを行った場合には、対物レンズ１８の平坦面１８１０に対応する箇所に、調芯ピン５８、鏡筒側取り付け部５４、レンズ枠側取り付け部５２を配置することで、レンズ鏡筒１４の外形の小型化を図る上でより一層有利となる。
【００１９】
なお、前記の実施の形態では、カム面５４０４を、鏡筒側取り付け部５４に形成した場合について説明したが、カム面５４０４は、第１の軸部５８０２に臨むフランジ５８０６の端面や、あるいは、第２の軸部５８０４に臨むフランジ５８０６の端面、あるいは、レンズ枠側取り付け部５２の当接面５２０４に形成してもよい。
【００２０】
（第２の実施の形態）
次に、第２の実施の形態について説明する。
第２の実施の形態が第１の実施の形態と異なるのは、調芯ピンの構造であり、第２の実施の形態では、調芯ピンによりレンズの中心軸を撮影光学系の光軸と直交する方向に変位することに加えて、レンズの中心軸を撮影光学系の光軸に対して傾斜する方向に変位するようにした点である。
図１２は第２の実施の形態のレンズ鏡筒の斜視図、図１３、図１４は鏡筒の前端を示す斜視図、図１５は調芯ピンの斜視図、図１６はレンズ鏡筒の要部断面図、図１７（Ａ）、（Ｂ）は調芯ピンの組み立て説明図である。
なお、以下の実施の形態では、第１の実施の形態と同一の部分、部材には同一の符号を付して説明する。
【００２１】
図１２、図１３、図１５、図１６に示すように、調芯ピン６０は、該調芯ピン６０の長さ方向に分割された第１のピン６２と第２のピン６４とで構成されている。
図１５に示すように、第１のピン６２は、鏡筒側取り付け部５４の孔５４０２に回転可能に挿入される第１の軸部６２０２と、第１の軸部６２０２の端部に形成された第１フランジ部６２０４と、第１フランジ部６２０４から第１の軸部６２０２とは反対の方向に突設された第３の軸部６２０６とを有している。
図１５に示すように、第２のピン６４は、レンズ枠側取り付け部５２のピン挿通孔５２０２に回転可能に挿入される第２の軸部６４０２と、第２の軸部６４０２の端部に形成された第２フランジ部６４０４と、第２の軸部６４０２から第２フランジ部６４０４にわたって第２の軸部６４０２に対して偏心して設けられ第３の軸部６２０６が回転可能に挿通される偏心孔６４０６とを有している。
第２フランジ部６４０４は、第１の実施の形態と同様に、第２の軸部６４０２の周方向に間隔をおいた複数箇所から第２の軸部６４０２の半径外方に突出して複数形成されている。
【００２２】
図１４、図１７に示すように、レンズ枠側取り付け部５２には、第１の実施の形態と同様に、第２の軸部６４０２が回転可能に挿入されるピン挿通孔５２０２に連通させて複数の第２フランジ部６４０４を空間に挿入するための複数の切り欠き５２１０が設けられている。
複数の第２フランジ部６４０４は複数の切り欠き５２１０からそれぞれ空間に挿入され仮想軸の回りに回転され第２の軸部６４０２に臨む第２フランジ部６４０４の端面６４２０がレンズ枠側取り付け部５２の当接面５２０４に当接される。
なお、第１フランジ部６２０４が第３の軸部６２０６に臨む端面と第２フランジ部６４０４が空間５５に臨む端面は当接されている。
【００２３】
図１６に示すように、空間５５に臨む鏡筒側取り付け部５４の箇所に、第１の実施の形態と同様に、第１の軸部６２０２が挿入される孔５４０２の周囲に沿って孔５４０２の軸方向に変位しカム機構を構成するカム面５４０４が形成され、第１の軸部６２０２に臨む第１フランジ部６２０４の端面にカム面５４０４に当接する当接部６２０８が設けられている。
第１のピン６２の第３の軸部６２０６の端面および第２のピン６４の第２の軸部６４０２の端面には、それら軸部を回転操作するための工具に係合可能な係合部６２１０、６４１０がそれぞれ設けられている。
なお、調芯ピン６０の各調芯ピン用取り付け部５６への取り付けは第１の実施の形態と同様である。
【００２４】
第２の実施の形態では、第１のピン６２を回転操作することで第１の実施の形態と同様に対物レンズ１８の中心軸が撮影光学系２４の光軸方向と直交する方向に変位する。
また、第２の実施の形態では、第２のピン６４を回転操作することで、各調芯ピン用取り付け部５６が撮影光学系２４の光軸に沿った方向に変位し、対物レンズ１８の中心軸の傾きが調整され、調芯がなされる。
【００２５】
このような第２の実施の形態によれば、第１の実施の形態と同様な効果が得られる他、対物レンズの中心軸の傾きを調整することが可能となるため、調芯作業をより高精度に行うことが可能となる。
なお、第２の実施の形態においても、図１０、図１１に示したのと同様に、Ｄカットされた対物レンズ１８が用いられる場合には、Ｄカットに対応した平坦面１８１０の箇所に、調芯ピン６０、鏡筒側取り付け部５４、レンズ枠側取り付け部５２を配置することで、レンズ鏡筒１４の外形の小型化を図る上でより一層有利となることは無論である。
【００２６】
なお、実施の形態では、撮像装置がデジタルビデオカメラである場合について説明したが、本発明は、デジタルスチルカメラなどの種々の撮像装置、あるいは、カメラ付きの携帯電話機、カメラ付きのＰＤＡ（Ｐｅｒｓｏｎａｌ  Ｄｉｇｉｔａｌ  Ａｓｓｉｓｔａｎｔｓ）、カメラ付きのノート型パーソナルコンピュータなどに適用可能である。
【図面の簡単な説明】
【００２７】
【図１】本実施の形態の撮像装置１０を前方から見た斜視図である。
【図２】撮像装置１０の制御系の構成を示すブロック図である。
【図３】レンズ鏡筒１４の斜視図である。
【図４】レンズ鏡筒１４の分解斜視図である。
【図５】レンズ鏡筒１４の要部断面図である。
【図６】鏡筒側取り付け部５４の斜視図である。
【図７】調芯ピン５８の斜視図である。
【図８】レンズ側取り付け部５４と調芯ピン５８の説明図である。
【図９】（Ａ）、（Ｂ）は調芯ピン５８の組み立て説明図である。
【図１０】第１の実施の形態の変形例のレンズ鏡筒１４の斜視図である。
【図１１】図１０の正面図である。
【図１２】第２の実施の形態のレンズ鏡筒の斜視図である。
【図１３】鏡筒の前端を示す斜視図である。
【図１４】鏡筒の前端を示す斜視図である。
【図１５】調芯ピンの斜視図である。
【図１６】レンズ鏡筒の要部断面図である。
【図１７】（Ａ）、（Ｂ）は調芯ピンの組み立て説明図である。
【図１８】従来技術の説明図である。
【図１９】従来技術の説明図である。
【符号の説明】
【００２８】
１０……撮像装置、１４……レンズ鏡筒、１６……鏡筒、１８……対物レンズ、２４……撮影光学系、４４……レンズ枠、５２……レンズ枠側取り付け部、５４……鏡筒側取り付け部、５５……空間、５６……調芯ピン用取り付け部、５８……調芯ピン、５８０６……フランジ。
【図１】
2007139947.tif 000003
【図２】
2007139947.tif 000004
【図３】
2007139947.tif 000005
【図４】
2007139947.tif 000006
【図５】
2007139947.tif 000007
【図６】
2007139947.tif 000008
【図７】
2007139947.tif 000009
【図８】
2007139947.tif 000010
【図９】
2007139947.tif 000011
【図１０】
2007139947.tif 000012
【図１１】
2007139947.tif 000013
【図１２】
2007139947.tif 000014
【図１３】
2007139947.tif 000015
【図１４】
2007139947.tif 000016
【図１５】
2007139947.tif 000017
【図１６】
2007139947.tif 000018
【図１７】
2007139947.tif 000019
【図１８】
2007139947.tif 000020
【図１９】
2007139947.tif 000021